(57)【特許請求の範囲】
【請求項１】
人体局部を洗浄する洗浄水を供給する洗浄水供給手段と、前記洗浄水が流動するための複数の流路と、前記複数の流路から少なくとも一つの流路を選択するとともに該選択された流路を前記洗浄水供給手段に連通可能とする一つの流路切換手段とを具備した人体局部洗浄装置において、
前記洗浄水供給手段から供給された洗浄水は前記流路切換手段を介して前記流路へと流動し、前記流路切換手段は、回転可能とされる回転プレートと、該回転プレートに対面するように固定配置される固定プレートとを備え、前記回転プレートは、前記洗浄水供給手段に連通するとともに前記洗浄水供給手段から供給された洗浄水が流動する回転スリットを有し、前記固定プレートは、前記回転スリットを流動してきた洗浄水を前記流路に開放するための複数の固定スリットを有し、該複数の固定スリットは、肛門洗浄用主流路に連通する第１固定スリットと、肛門洗浄用副流路に連通する第２固定スリットと、前記肛門洗浄用主流路と連通する第４固定スリットとからなり、
前記肛門洗浄用主流路と肛門洗浄用副流路から洗浄水を噴出させる場合、前記回転プレートを第１固定スリットの洗浄量が大なるスリット位置に重ねて可動ノズルを伸長させる第１ステップと、前記回転プレートを第１固定スリットの洗浄量が小なるスリット位置に重ねて可動ノズルを伸長させる第２ステップと、前記回転プレートを前記肛門洗浄用主流路と肛門洗浄用副流路から洗浄水を噴出させる第２固定スリットと第４固定スリット位置にて重ねて洗浄水を噴出させる第３ステップから行われる制御装置を備えたことを特徴とする人体局部洗浄装置。
【発明の詳細な説明】
【０００１】
【発明の属する技術分野】
本発明は、人体局部の洗浄を行う衛生洗浄便座等に利用される人体局部洗浄装置に関する。
【０００２】
【従来の技術】
従来の人体局部洗浄装置は、一般的に、人体局部を洗浄する洗浄水を供給する洗浄水供給手段と、該洗浄水供給手段に連通する肛門洗浄用主流路と、該肛門洗浄用主流路に連通する肛門洗浄ノズル孔と、前記洗浄水供給手段に連通するビデ洗浄用主流路と、該ビデ洗浄用主流路に連通するビデ洗浄ノズル孔と、前記洗浄水供給手段と前記肛門洗浄用主流路及び前記ビデ洗浄用主流路との間に介在されて、前記洗浄水供給手段から供給された洗浄水が自身を介して前記肛門洗浄用主流路又は前記ビデ洗浄用主流路へ流動し、前記洗浄水供給手段と前記肛門洗浄用主流路と前記ビデ洗浄用主流路との連通をそれぞれ制御する第１流路切換手段と、前記肛門洗浄用主流路に連通する肛門洗浄用副流路と、該肛門洗浄用副流路に連通する副肛門洗浄ノズル孔と、前記肛門洗浄用副流路と前記副肛門洗浄ノズル孔との連通を制御する第２流路切換手段と、前記ビデ洗浄用主流路に連通するビデ洗浄用副流路と、該ビデ洗浄用副流路に連通する副ビデ洗浄ノズル孔と、前記ビデ洗浄用副流路と前記副ビデ洗浄ノズル孔との連通を制御する第３流路切換手段とを具備した人体局部洗浄装置が知られている。
【０００３】
この従来の人体局部洗浄装置は、第１流路切換手段によって洗浄水供給手段と肛門洗浄用主流路とが連通され、洗浄水供給手段とビデ洗浄用主流路との連通が不通とされることにより、洗浄水供給手段と肛門洗浄用主流路とが連通状態とされて、洗浄水が洗浄水供給手段から肛門洗浄用主流路を介して肛門洗浄ノズル孔から放出されることになる。
【０００４】
洗浄水供給手段と肛門洗浄用主流路とが連通された状態で、第２流路切換手段によって肛門洗浄用副流路と副肛門洗浄ノズル孔とが連通されると、肛門洗浄用主流路を流動する洗浄水は肛門洗浄用副流路にも流入し、肛門洗浄用副流路を介して洗浄水が副肛門洗浄ノズル孔からも放出されることになる。
【０００５】
又、第１流路切換手段によって、洗浄水供給手段と肛門洗浄用主流路との連通が不通とされ、洗浄水供給手段とビデ洗浄用主流路とが連通されることにより、洗浄水供給手段とビデ洗浄用主流路とが連通状態とされて、洗浄水が洗浄水供給手段からビデ洗浄用主流路を介してビデ洗浄ノズル孔から放出されることになる。
【０００６】
洗浄水供給手段とビデ洗浄用主流路とが連通された状態で、第３流路切換手段によってビデ洗浄用副流路と副ビデ洗浄ノズル孔とが連通されると、ビデ洗浄用主流路を流動する洗浄水はビデ洗浄用副流路にも流入し、ビデ洗浄用副流路を介して洗浄水が副ビデ洗浄ノズル孔からも放出されることになる。
【０００７】
【発明が解決しようとする課題】
しかしながら、ノズルがシリンダに収納している状態で肛門洗浄用主流路と肛門用副流路から同時に噴出させるマイルド洗浄（以下適宜マイルド洗浄の言葉を使用）をするとき洗浄強さが強いとノズルが洗浄位置まで移動する時間が速く洗浄強さが弱いと遅い為、ノズルが洗浄位置に到達する前に肛門洗浄用副流路から噴出したり、ノズルが洗浄位置に到達した時、肛門洗浄用主流路からだけ噴出し、その後肛門洗浄用副流路から噴出するという現象が生じ、使用感がよくない。
【０００８】
また、製品や水圧や組み付けのバラツキ等により、ノズルが正確にマイルド洗浄位置まで到達しない場合があり、ノズル到達位置前でノズルが停止した場合、所望の被洗浄位置で肛門洗浄用主流路と肛門洗浄用副流路から洗浄水が噴出して被洗浄部に当接し、使用感がよくない。またノズル到達位置より先でノズルが停止した場合、肛門洗浄用主流路のみから強い洗浄水が噴出してしまうといった問題点があった。
【０００９】
本発明は、肛門洗浄用主流路と肛門洗浄用副流路を同時に噴出させるマイルド洗浄時、製品や水圧のバラツキ等があっても、ノズルが正確にマイルド洗浄位置に到達し使用感のよい人体局部洗浄装置を提供することを、その技術的課題とするものである。
【００１０】
【課題を解決するための手段】
上記技術的課題を解決するために、人体局部を洗浄する洗浄水を供給する洗浄水供給手段と、前記洗浄水が流動するための複数の流路と、前記複数の流路から少なくとも一つの流路を選択するとともに該選択された流路を前記洗浄水供給手段に連通可能とする一つの流路切換手段とを具備した人体局部洗浄装置において、
前記洗浄水供給手段から供給された洗浄水は前記流路切換手段を介して前記流路へと流動し、前記流路切換手段は、回転可能とされる回転プレートと、該回転プレートに対面するように固定配置される固定プレートとを備え、前記回転プレートは、前記洗浄水供給手段に連通するとともに前記洗浄水供給手段から供給された洗浄水が流動する回転スリットを有し、前記固定プレートは、前記回転スリットを流動してきた洗浄水を前記流路に開放するための複数の固定スリットを有し、該複数の固定スリットは、肛門洗浄用主流路に連通する第１固定スリットと、肛門洗浄用副流路に連通する第２固定スリットと、前記肛門洗浄用主流路と連通する第４固定スリットとからなり、
前記肛門洗浄用主流路と肛門洗浄用副流路から洗浄水を噴出させる場合、前記回転プレートを第１固定スリットの洗浄量が大なるスリット位置に重ねて可動ノズルを伸長させる第１ステップと、前記回転プレートを第１固定スリットの洗浄量が小なるスリット位置に重ねて可動ノズルを伸長させる第２ステップと、前記回転プレートを前記肛門洗浄用主流路と肛門洗浄用副流路から洗浄水を噴出させる第２固定スリットと第４固定スリット位置にて重ねて洗浄水を噴出させる第３ステップから行われる制御装置を備えたことを特徴とする人体局部洗浄装置である。
【００１１】
このような構成により、肛門洗浄用主流路と肛門洗浄用副流路を同時に噴出させるマイルド洗浄を行うとき、ノズルが伸長しているときは、肛門洗浄用主流路を使用することにより、ステップ１の洗浄位置直前まで伸ばす。さらにステップ２の間に肛門洗浄用ノズルが洗浄位置に到達するようにする。
【００１２】
この上記作動は水圧等のバラツキを吸収するものであって、水圧の高いときは早く到達し、低いときは遅めに到達する。早く到達しても噴出量は僅かな水量であるので、被洗浄部に当たらず、問題ない。
【００１３】
【実施の形態】
以下、本発明の実施の形態により具体的に説明する。
【００１４】
図１は本実施の形態の人体局部洗浄装置の断面図である。図１に示すように、人体局部洗浄装置１は、肛門洗浄ノズル装置２００と、ビデ洗浄ノズル装置３００と、流路切換手段である切換バルブ４００と、人体局部を洗浄する洗浄水を供給する洗浄水供給装置５００とを有している。
【００１５】
図２は、図１の肛門洗浄ノズル装置２００のＡ−Ａ’線での断面図である。図１、図２に示すように、肛門洗浄ノズル装置２００は、その先端部に肛門洗浄主ノズル孔２１２と肛門洗浄副ノズル孔２１１を備えた伸縮可能な可動ノズル２１０と、肛門洗浄用主ノズル孔２１２に連通する肛門洗浄用主流路２１６と、肛門洗浄用副ノズル孔２１１に連通する肛門洗浄用副流路２１７からなり、ビデ洗浄ノズル装置３００は、その先端部にビデ洗浄ノズル孔３１１を備えた伸縮可能なビデ洗浄用ノズル３１０と、ビデ洗浄ノズル孔３１１に連通するビデ洗浄用流路３１６とから成る。
【００１６】
シリンダ２００は、可動ノズル２１０を収納するシリンダ２２０からなる。シリンダ２２０は外径および内径の異なる第１シリンダ２２１、第２シリンダ２２２から構成される。
【００１７】
図２ａは肛門洗浄用主流路２１２からのみ噴出する洗浄強さが強いパワフル洗浄（以下、適宜パワフル洗浄の言葉を使用）を示したものである。図２ｂは肛門洗浄用主流路２１２と肛門洗浄用副流路２１１から噴出する洗浄強さが弱いマイルド洗浄を示したものである。
【００１８】
切換バルブ４００は、洗浄水供給装置５００に連通する連通路４１４ａと、肛門洗浄用主流路２１６に連通する連通路４１４ｂと、肛門洗浄用副流路２１７に連通する連通路４１４ｃと、ビデ洗浄用流路３１６に連通する連通路４１４ｄとが配設されたケース４１４と、ケース４１４内に固定されて配設される固定ディスク４１５と、ケース１４内で、固定ディスク４１５に対面するとともに面接触するようにされ、回転可能に配設される回転ディスク４１６と、回転ディスク４１６を回転する為の回転アクチュエータ４０４と、回転アクチュエータ４０４の制動を制御する回転アクチュエータ制御装置４１８とから構成されている。
【００１９】
図３（図３ａ〜図３ｄ）は、図１のＢ−Ｂ’線での断面図である。固定ディスク４１５は、固定ディスク４１５の中心を中心点として円弧を描くように形成された円弧状の第１固定スリット４１５１と、第２固定スリット４１５２と、第３固定スリット４１５３と、第４固定スリット４１５４を備えている。
【００２０】
第１固定スリット４１５１は、図３ａ中反時計方向において、その一端側から他端側に向かってそのスリット幅が徐々に縮小する。なお、スリット幅の大小は幅が大ほど洗浄水の供給量が多く、幅が小ほど洗浄水の供給量が少ないものであり、以下他の固定スリットも同様である。
【００２１】
第４固定スリット４１５４は、図３ａ中反時計方向において、その一端側から他端側に向かってそのスリット幅が徐々に拡大する。第２固定スリット４１５２は、図３ａ中反時計方向において、その一端側から他端側に向かってそのスリット幅が徐々に拡大する。第３固定スリット４１５３は、図３ａ中反時計方向において、その一端側から他端側に向かってそのスリット幅が徐々に拡大する。
【００２２】
回転ディスク４１６は、その中心に設けられた中心孔４１６１を含み、中心孔４１６１から径方向で外方に向かって延設される略ストレート状の回転スリット４１６ａを有している。
【００２３】
固定ディスク４１５において、第１固定スリット４１５１と第３固定スリット４１５３と第４固定スリット４１５４とは、同一周上に配設される。第２固定スリット４１５２は第１固定スリット４１５１の内周側に配設される。
【００２４】
第１固定スリット４１５１は、連通路４１４ｂを介して肛門洗浄用主流路２１６に連通している。第２固定スリット４１５２は、連通路４１４ｃを介して肛門洗浄用副流路２１７に連通している。第３固定スリット４１５３は、連通路４１４ｄを介してビデ洗浄用流路３１６に連通している。
【００２５】
回転スリット４１６ａは、回転ディスク４１６の中心部であるとともにスリット４１６ａの一端部である中心孔４１６１において、連通路４１４ａを介して洗浄水供給装置５００に連通している。
【００２６】
図１において、固定ディスク４１５は、連通路４１４ａに連通するとともに回転ディスク４１６の中心孔４１６１にも連通している。
【００２７】
なお第１スリット４１５１と第２スリット４１５４と第５スリットは、固定ディスク４１５裏側でお互いに連通し、その通路は最終的に肛門洗浄用主流路２１６と連通している。
【００２８】
また第６スリット４１５６はノズル２１０のノズル洗浄を行うもので、図１のノズル洗浄流路２１８と連通している。
【００２９】
次いで、人体局部洗浄装置１の作動を説明する。
【００３０】
図１〜図３に示すように、回転アクチュエータ制御装置４１８が操作されると回転アクチュエータ４０４が作動され、回転ディスク４１６がケース４１４内で回転する。
【００３１】
図３ａ〜図３ｂは回転ディスク４１６と固定ディスク４１５との相対関係を表わした図である。図４の上図は切替バルブ４００の固定ディスク４１５に対する回転ディスク４１６の回転角度を表わしたタイムチャート図である。図３、図４において、回転ディスク４１６の右回転（時計回り）を＋、左回転（反時計回り）を−とする。
【００３２】
図３、図４を参照して本発明の作動について説明する。
【００３３】
図３ａは固定ディスク４１５に対し回転ディスク４１６が回転していない原点位置を示している。
【００３４】
使用者がマイルド洗浄ボタン（図示せず）を押すと、回転アクチュエータ制御装置４１８が操作され、回転アクチュエータ４０４が作動され、回転ディスク４１６がケース４１４内で回転する。
【００３５】
図３ｂに示すように、回転ディスク４１６の回転スリット４１６ａが固定ディスク４１５の第６固定スリット４１５６に重なる位置で回転ディスク４１６の回動が停止され、洗浄水供給装置５００が作動されると、洗浄水供給装置５００から供給された洗浄水は連通路４１４ａを流動し、回転ディスク４１６の中心孔４１６１、ひいては回転スリット４１６ａに流出する。
【００３６】
回転スリット４１６ａを回転ディスク４１６の径方向外方に向かって流動する洗浄水は、固定ディスク４１５の第６固定スリット４１５６と回転スリット４１６とが重なる部分を介して、連通路４１６ａ、ひいてはノズル洗浄用流路２１８に流出する。
【００３７】
ノズル洗浄用流路２１８を流動する洗浄水は、シリンダ２２０と可動ノズル２１０の間の隙間Ｓを通り可動ノズルの全周を洗浄する。
【００３８】
次に、図３ｃに示すように、回転ディスク４１６の回転スリット４１６ａが固定ディスク４１５の第１固定スリット４１５１に重なる位置で回転ディスク４１６の回動で停止される。つまり、図３ａの原点位置から回転スリット４１６ａが１１２．５°回転した角度で停止される。この位置においては、回転スリット４１６ａは第１固定スリット４１５１のスリット幅全体を覆い、洗浄強さが高い位置である。
【００３９】
洗浄水供給装置５００が作動されると、洗浄水供給装置５００から供給された洗浄水は連通路４１４ａを流動し、回転ディスク４１６の中心孔４１６１、ひいては回転スリット４１６ａに流出する。
【００４０】
回転スリット４１６ａを回転ディスク４１６の径方向外方に向かって流動する洗浄水は、固定ディスク４１５の第１固定スリット４１５１と回転スリット４１６とが重なる部分を介して、連通路４１４ｂ、ひいては肛門洗浄用主流路２１６に流出する。
【００４１】
肛門洗浄用主流路２１６を流動する洗浄水は、可動ノズル２１０の後端部２１３を押圧し可動ノズル２１０が伸長する。この可動ノズル２１０の伸長段階では、肛門洗浄用ノズル２１０の肛門洗浄用主ノズル孔２１２から放出されない。
【００４２】
次に、この可動ノズル２１０が完全に伸長しきる前に、図３ｄに示すように、回転ディスク４１６の回転スリット４１６ａが固定ディスク４１５の第１固定スリット４１５１に重なる位置で回転ディスク４１６の回動で停止される。つまり、図３ａの原点位置から回転スリット４１６ａが１００°回転した角度で停止される（時計回りの反対方向へ１２．５°回転）。この位置においては、回転スリット４１６ａは第１固定スリット４１５１のスリットの先端であり、スリット幅が小さい位置で停止している。この位置は洗浄強さが低い位置である。
【００４３】
洗浄水供給装置５００が作動されると、洗浄水供給装置５００から供給された洗浄水は連通路４１４ａを流動し、回転ディスク４１６の中心孔４１６１、ひいては回転スリット４１６ａに流出する。
【００４４】
回転スリット４１６ａを回転ディスク４１６の径方向外方に向かって流動する洗浄水は、固定ディスク４１５の第１固定スリット４１５１と回転スリット４１６とが重なる部分を介して、連通路４１４ｂ、ひいては肛門洗浄用主流路２１６に流出する。
【００４５】
肛門洗浄用主流路２１６を流動する洗浄水は、可動ノズル２１０の後端部２１３を押圧し可動ノズル２１０が更に伸長する。この可動ノズル２１０の伸長段階では、肛門洗浄用ノズル２１０の肛門洗浄用主ノズル孔２１２から放出されるが、洗浄強さが弱いため、被洗浄部には到達しない。
【００４６】
次に、図３ｅに示すように、回転ディスク４１６の回転スリット４１６ａが固定ディスク４１５の第１固定スリット４１５１を離れて第２固定スリット４１５２と第４固定スリット４１５４に重なる位置で回転ディスク４１６の回動が停止され、洗浄水供給装置５００が作動されると、洗浄水供給装置５００から供給された洗浄水は連通路４１４ａを流動し、固定ディスク４１５を介して、回転ディスク４１６の中心孔４１６１、ひいては回転スリット４１６ａに流出する。
【００４７】
回転スリット４１６ａを回転ディスク４１６の径方向外方に向かって流動する洗浄水は、固定ディスク４１５の第２固定スリット４１５２と第４固定スリット４１５４が重なった部分を介して、連通路４１４ｃ、連通路４１４ｂ、ひいては肛門洗浄用副流路２１７、肛門洗浄用主流路２１６に流出する。図２ａはその状態図を示す。つまりこの肛門洗浄用副流路２１７、肛門洗浄用主流路２１６が同時に噴出した状態では、被洗浄部に対し、マイルドな洗浄を行う。
【００４８】
このように、肛門洗浄用主流路２１６を流動する洗浄水は、肛門洗浄用ノズル２１０の肛門洗浄主ノズル孔２１２から放出されて被洗浄部に当接し、肛門洗浄用副流路２１７を流動する洗浄水は、肛門洗浄用ノズル２１０の肛門洗浄副ノズル孔２１１から放出されて被洗浄部に当接する。
【００４９】
即ち、固定ディスク４１５の第２固定スリット４１５２と第２固定スリット４１５４との領域においては、洗浄水が肛門洗浄主ノズル孔２１２と肛門洗浄副ノズル孔２１１から放出されることになり、洗浄水の水量は、第２固定スリット４１５２と第４固定スリット４２５４とのスリット幅に依存することになる。従って、図３ｅ中で回転ディスク１６が反時計周りに回転する場合、肛門洗浄主ノズル孔２１２と肛門洗浄副ノズル孔２１１とから放出される洗浄水の水量は、徐々に増加されることになる。
【００５０】
このように、肛門洗浄用副流路２１６を流動する洗浄水は、肛門洗浄用ノズル２１０の後端部を水圧によって押圧し、所定の被洗浄部に到達する。その後、図３ｅに示すような位置に回転ディスク４１６が回転し、前述したように、肛門洗浄用副流路２１７、肛門洗浄用主流路２１６が同時に噴出し、被洗浄部に対し、マイルドな洗浄を行う。
【００５１】
なお、図４には示していないが、図３ｄに示すように、回転ディスク４１６の回転スリット４１６ａが固定ディスク４１５の第３固定スリット４１５３に重なる位置で回転ディスク４１６の回動が停止され、洗浄水供給装置５００が作動されると、洗浄水供給装置５００から供給された洗浄水は連通路４１４ａを流動し、固定ディスク４１５を介して、回転ディスク４１６の中心孔４１６１、ひいては回転スリット４１６ａに流出する。
【００５２】
回転スリット４１６ａを回転ディスク４１６の径方向外方に向かって流動する洗浄水は、固定ディスク４１５の第３固定スリット４１５３で、回転スリット４１６と第３固定スリット４１５３とが重なる部分を介して、連通路４１４ｄ、ひいてはビデ洗浄用流路２１８に流出する。
【００５３】
ビデ洗浄用流路２１８を流動する洗浄水は、ビデ洗浄用ノズル３１０のビデ洗浄ノズル孔３１１から放出されて、被洗浄部に当接する。
【００５４】
上述したように、切換バルブ４００においては、回転プレート４１６が回転されて回転スリット４１６ａが固定スリット４１５１、４１５２、４１５３、４１５４、４１５６の少なくとも一つに重なることにより、固定スリット４１５１、４１５２、４１５３、４１５４、４１５６に連通する流路２１６、２１７、２１８から少なくとも一つの流路が選択されるとともに、この選択された流路と洗浄水供給装置５００とが連通状態とされることになるものである。
【００５５】
図５は本発明の人体局部洗浄装置１と切替バルブ４００との流路関係を模式的にあらわしたブロック図で、パワフル洗浄（洗浄力が強い洗浄量が大であり水圧が高い洗浄）時においては、切替バルブ４００の第６固定スリット４１４６、第４固定スリット、第１固定スリットが肛門洗浄用主流路２１６に連通している状態を示している。この状態では肛門洗浄主ノズル孔２１２と肛門洗浄用副ノズル孔２１１から洗浄水が噴出する。
【００５６】
また、マイルド洗浄時は、第５固定スリット４１５４が肛門洗浄用主流路２１６、第１固定スリット４１４１が肛門洗浄用副流路２１７に連通する。
【００５７】
【発明の効果】
以上説明したように、本発明によれば、肛門洗浄用主流路と肛門洗浄用副流路を同時に噴出させるマイルド洗浄時、ノズルを伸長しているときは、肛門洗浄用主流路を使用することにより、ステップ１の洗浄位置直前まで伸ばす。さらにステップ２の間に肛門洗浄用ノズルが洗浄位置に到達するようにする。
【００５８】
この上記作動は水圧等のバラツキを吸収するものであって、水圧の高いときは早く到達し、低いときは遅めに到達する。早く到達しても噴出量は僅かな水量であるので、被洗浄部に当たらず、問題ない。
【図面の簡単な説明】
【図１】実施の形態の人体局部洗浄装置１の断面図。
【図２】図１の肛門洗浄用ノズル１１のＡ−Ａ’線の断面図。
【図３】図１の固定ディスクと回転ディスクを表わしたＢ−Ｂ’線の断面図
【図４】上図は、固定ディスクに対する回転ディスクの回転角度と時間の関係を表わしたタイムチャート図と下図はノズルの収納位置と洗浄位置を表わしたタイムチャート図。
【図５】本発明をより簡単に示したノズルと流路と切替バルブとの関係を表わしたブロック図。
【符号の説明】
１  人体局部洗浄装置
４  切換バルブ
５  洗浄水供給装置
６  肛門洗浄用主流路
７  肛門洗浄用副流路
８  ビデ洗浄用流路
４１５  固定ディスク
４１５１  第１固定スリット
４１５２  第２固定スリット
４１５３  第３固定スリット
４１６  回転ディスク
４１５  回転プレート
４１８  制御装置
【図１】
0004029450.tif 000002
【図２】
0004029450.tif 000003
【図３】
0004029450.tif 000004
【図４】
0004029450.tif 000005
【図５】
0004029450.tif 000006